(57)【要約】【課題】  防虫防臭機能具備の排水口シール装置の提供。【解決手段】  排水口中に嵌め込まれる排水口シール装置であって、ベース、膜片及びゴムリングで構成され、ベースが環体を具え、環体の中間に複数の穿孔を具えた隔離フレームが設けられ、隔離フレームの中央及び隔離フレームに受筒が設けられ、且つベースの上下端に階層フランジと階層凸縁が設けられている。該膜片は略ディスク形ゴム薄片体とされ、該ゴム薄片体上にベースの受筒に対応する凸環或いはつまみが設けられ、これにより膜片がベースの環体下端に強固に結合される。該ゴムリングは内側に階層凹環溝を具え、ベースがその上端の階層フランジで該階層凹環溝に係止される。別に該膜片が該ベース下端の階層凸縁に嵌合される。本考案はシンクの排水口にもともと嵌め込まれた排水口の弁膜式ゴム盤の位置に嵌め込まれる。【選択図】        図１
0003112326.tif 000002
【実用新案登録請求の範囲】
【請求項１】
防虫防臭機能具備の排水口シール装置において、該排水口シール装置は、
ベースであって、該ベースは環体を具え、環体の中間に複数の穿孔を具えた隔離フレームが設けられ、隔離フレームに受筒が設けられ、且つベースの上端にフランジが、下端に凸縁が設けられた、上記ベースと、
膜片であって、該膜片は略ディスク形ゴム薄片体とされ、該ゴム薄片体上にベースの受筒に対応し係合する係止部材が設けられ、膜片の外周が緊密にベース下端の階層凸縁に嵌合可能とされた、上記膜片と、
ゴムリングであって、該ゴムリングは内側に階層凹環溝を具えたゴム環体とされ、ベースがその上端の階層フランジで該階層凹環溝に係止される、上記ゴムリングと、
が組み合わされてなり、排水口の肩部に嵌め置かれて室内への虫と臭気の進入を防止することを特徴とする、防虫防臭機能具備の排水口シール装置。
。別に該膜片が該ベース下端の階層凸縁に嵌合される、上記ゴムリングと、
を具えている。これにより防虫防臭機能具備の排水口シール装置の組立が完成する。排水口シール装置はもともと弁膜式ゴム盤が嵌め込まれていた排水口の肩部に嵌め置かれ、防虫防臭機能を達成する。本考案の膜片はベースにおいて確実に完全な気密状態を形成でき、完全に臭気を隔離できると共に虫が排水口より台所或いは室内に這い出すのを防止することを特徴とする、防虫防臭機能具備の排水口シール装置。
【請求項２】
請求項１記載の防虫防臭機能具備の排水口シール装置において、ベースの受筒の穿孔が下が大きく上が小さいスピーカ形孔とされたことを特徴とする、防虫防臭機能具備の排水口シール装置。
【請求項３】
請求項１又は請求項２記載の防虫防臭機能具備の排水口シール装置において、膜片の中央の係止部材につまみが設けられたことを特徴とする、防虫防臭機能具備の排水口シール装置。
【請求項４】
請求項３記載の防虫防臭機能具備の排水口シール装置において、つまみの外表に止滑条が設けられたことを特徴とする、防虫防臭機能具備の排水口シール装置。
【請求項５】
請求項１又は請求項２記載の防虫防臭機能具備の排水口シール装置において、膜片の外周に環状のフランジが設けられたことを特徴とする、防虫防臭機能具備の排水口シール装置。
【請求項６】
請求項３記載の防虫防臭機能具備の排水口シール装置において、膜片の外周に環状のフランジが設けられたことを特徴とする、防虫防臭機能具備の排水口シール装置。
【請求項７】
請求項４記載の防虫防臭機能具備の排水口シール装置において、膜片の外周に環状のフランジが設けられたことを特徴とする、防虫防臭機能具備の排水口シール装置。
【請求項８】
請求項１又は請求項２記載の防虫防臭機能具備の排水口シール装置において、ベースの内側に把手リングが設けられたことを特徴とする、防虫防臭機能具備の排水口シール装置。
【請求項９】
請求項５記載の防虫防臭機能具備の排水口シール装置において、ベースの内側に把手リングが設けられたことを特徴とする、防虫防臭機能具備の排水口シール装置。
【請求項１０】
請求項１又は請求項２記載の防虫防臭機能具備の排水口シール装置において、ベース下端の凸縁が階層凸縁とされ、且つ膜片の外周が該階層凸縁内に収納されることを特徴とする、防虫防臭機能具備の排水口シール装置。
【請求項１１】
請求項３記載の防虫防臭機能具備の排水口シール装置において、ベース下端の凸縁が階層凸縁とされ、且つ膜片の外周が該階層凸縁内に収納されることを特徴とする、防虫防臭機能具備の排水口シール装置。
【請求項１２】
請求項５記載の防虫防臭機能具備の排水口シール装置において、ベース下端の凸縁が階層凸縁とされ、且つ膜片の外周が該階層凸縁内に収納されることを特徴とする、防虫防臭機能具備の排水口シール装置。
【請求項１３】
請求項８記載の防虫防臭機能具備の排水口シール装置において、ベース下端の凸縁が階層凸縁とされ、且つ膜片の外周が該階層凸縁内に収納されることを特徴とする、防虫防臭機能具備の排水口シール装置。
【考案の詳細な説明】
【技術分野】
【０００１】
本考案は防虫防臭機能具備の排水口シール装置に係り、特に一般のシンクの排水口中に嵌め置かれて防虫防臭を達成する排水口シール装置に関する。
【背景技術】
【０００２】
特許文献１には弁膜式浴室排水口装置が記載され、それは防虫或いは防臭の機能を具備する弁膜式ゴム盤を具えたものとされる。しかし、この周知の防虫防臭機能具備の弁膜式ゴム盤は、排水口蓋と同じ直径のゴムリングの内側に複数の輻射状の鋭角三角形の弾性弁膜が設けられてなる。これにより、この弁膜式ゴム盤をシンクの排水口の階層凸縁に取り付けて使用する時、弾性弁膜の隔離により排水管中の虫或いは臭気がシンクへと這い上がらず、防虫、防臭効果が達成される。しかしシンクでは経常的に冷水と熱水で反復して鍋等の調理器具や皿、碗等の食器が洗浄されるため、ある期間使用すると、防虫防臭機能を具えた弁膜式ゴム盤の内側の弾性弁膜の中央近くの部分に変質疲労の下垂変形現象が発生して水平の遮蔽状に還元できなくなり、このため防虫或いは防臭の作用と効果が失われ、ゆえにこの周知の弁膜式浴室排水口装置の実用性は良好ではない。
【０００３】
【特許文献１】台湾特許公告第２８４５６７号
【考案の開示】
【考案が解決しようとする課題】
【０００４】
本考案は排水口中の防虫防臭機能具備の排水口シール装置を提供し、特に、ディスク型膜片を虫或いは臭気を隔離する部品となし、周知の弁膜式ゴム盤を虫或いは臭気を隔離する部品とする欠点を克服し、確実に防虫防臭機能を達成することを目的とする。
上述の問題を解決するため、本考案は一種の防虫防臭機能具備の排水口シール装置を提供し、それは排水口のもともとは弁膜式ゴム盤を支持する肩部に嵌め置かれ、排水口の防虫防臭機能を達成する。本考案の防虫防臭機能具備の排水口シール装置は、
ベースであって、該ベースは環体を具え、環体の中間に複数の穿孔を具えた隔離フレームが設けられ、隔離フレームに受筒が設けられ、且つベースの上下端に階層フランジと階層凸縁が設けられた、上記ベースと、
膜片であって、該膜片は略ディスク形ゴム薄片体とされ、該ゴム薄片体上にベースの受筒に対応する凸環或いはつまみが設けられ、これにより膜片がベースの環体下端に強固に結合される、上記膜片と、
ゴムリングであって、内側に階層凹環溝を具え、ベースがその上端の階層フランジで該階層凹環溝に係止される。別に該膜片が該ベース下端の階層凸縁に嵌合される、上記ゴムリングと、
を具えている。これにより防虫防臭機能具備の排水口シール装置の組立が完成する。排水口シール装置はもともと弁膜式ゴム盤が嵌め込まれていた排水口の肩部に嵌め置かれ、防虫防臭機能を達成する。本考案の膜片はベースにおいて確実に完全な気密状態を形成でき、完全に臭気を隔離できると共に虫が排水口より台所或いは室内に這い出すのを防止する。
【課題を解決するための手段】
【０００５】
請求項１の考案は、防虫防臭機能具備の排水口シール装置において、該排水口シール装置は、
ベースであって、該ベースは環体を具え、環体の中間に複数の穿孔を具えた隔離フレームが設けられ、隔離フレームに受筒が設けられ、且つベースの上端にフランジが、下端に凸縁が設けられた、上記ベースと、
膜片であって、該膜片は略ディスク形ゴム薄片体とされ、該ゴム薄片体上にベースの受筒に対応し係合する係止部材が設けられ、膜片の外周が緊密にベース下端の階層凸縁に嵌合可能とされた、上記膜片と、
ゴムリングであって、該ゴムリングは内側に階層凹環溝を具えたゴム環体とされ、ベースがその上端の階層フランジで該階層凹環溝に係止される、上記ゴムリングと、
が組み合わされてなり、排水口の肩部に嵌め置かれて室内への虫と臭気の進入を防止することを特徴とする、防虫防臭機能具備の排水口シール装置としている。
としている。別に該膜片が該ベース下端の階層凸縁に嵌合される、上記ゴムリングと、
を具えているとしている。これにより防虫防臭機能具備の排水口シール装置の組立が完成するとしている。排水口シール装置はもともと弁膜式ゴム盤が嵌め込まれていた排水口の肩部に嵌め置かれ、防虫防臭機能を達成するとしている。本考案の膜片はベースにおいて確実に完全な気密状態を形成でき、完全に臭気を隔離できると共に虫が排水口より台所或いは室内に這い出すのを防止することを特徴とする、防虫防臭機能具備の排水口シール装置としている。
請求項２の考案は、請求項１記載の防虫防臭機能具備の排水口シール装置において、ベースの受筒の穿孔が下が大きく上が小さいスピーカ形孔とされたことを特徴とする、防虫防臭機能具備の排水口シール装置としている。
請求項３の考案は、請求項１又は請求項２記載の防虫防臭機能具備の排水口シール装置において、膜片の中央の係止部材につまみが設けられたことを特徴とする、防虫防臭機能具備の排水口シール装置としている。
請求項４の考案は、請求項３記載の防虫防臭機能具備の排水口シール装置において、つまみの外表に止滑条が設けられたことを特徴とする、防虫防臭機能具備の排水口シール装置としている。
請求項５の考案は、請求項１又は請求項２記載の防虫防臭機能具備の排水口シール装置において、膜片の外周に環状のフランジが設けられたことを特徴とする、防虫防臭機能具備の排水口シール装置としている。
請求項６の考案は、請求項３記載の防虫防臭機能具備の排水口シール装置において、膜片の外周に環状のフランジが設けられたことを特徴とする、防虫防臭機能具備の排水口シール装置としている。
請求項７の考案は、請求項４記載の防虫防臭機能具備の排水口シール装置において、膜片の外周に環状のフランジが設けられたことを特徴とする、防虫防臭機能具備の排水口シール装置としている。
請求項８の考案は、請求項１又は請求項２記載の防虫防臭機能具備の排水口シール装置において、ベースの内側に把手リングが設けられたことを特徴とする、防虫防臭機能具備の排水口シール装置としている。
請求項９の考案は、請求項５記載の防虫防臭機能具備の排水口シール装置において、ベースの内側に把手リングが設けられたことを特徴とする、防虫防臭機能具備の排水口シール装置としている。
請求項１０の考案は、請求項１又は請求項２記載の防虫防臭機能具備の排水口シール装置において、ベース下端の凸縁が階層凸縁とされ、且つ膜片の外周が該階層凸縁内に収納されることを特徴とする、防虫防臭機能具備の排水口シール装置としている。
請求項１１の考案は、請求項３記載の防虫防臭機能具備の排水口シール装置において、ベース下端の凸縁が階層凸縁とされ、且つ膜片の外周が該階層凸縁内に収納されることを特徴とする、防虫防臭機能具備の排水口シール装置としている。
請求項１２の考案は、請求項５記載の防虫防臭機能具備の排水口シール装置において、ベース下端の凸縁が階層凸縁とされ、且つ膜片の外周が該階層凸縁内に収納されることを特徴とする、防虫防臭機能具備の排水口シール装置としている。
請求項１３の考案は、請求項８記載の防虫防臭機能具備の排水口シール装置において、ベース下端の凸縁が階層凸縁とされ、且つ膜片の外周が該階層凸縁内に収納されることを特徴とする、防虫防臭機能具備の排水口シール装置としている。
【考案の効果】
【０００６】
本考案は排水口中の防虫防臭機能具備の排水口シール装置を提供し、特に、ディスク型膜片を虫或いは臭気を隔離する部品となし、周知の弁膜式ゴム盤を虫或いは臭気を隔離する部品とする欠点を克服し、確実に防虫防臭機能を達成する。
【考案を実施するための最良の形態】
【０００７】
図１は本考案の排水口シール装置の立体分解図である。図示されるように、本考案の防虫防臭機能具備の排水口シール装置はベース１０、膜片２０、及びゴムリング３０を主要な部品として構成されている。
【０００８】
図２から図５に示されるように、該ベース１０は、略環体形態を呈し、金属或いはプラスチック材料を一体成形して形成される。該ベース１０の中間に複数の穿孔１２を具えた隔離フレーム１１が設けられ、該隔離フレーム１１の中央及び隔離フレーム１１に、所定サイズの受筒１３、１４が設けられ、且つベース１０の上端に階層１５１を具えた階層フランジ１５が、下端に階層１６１を具えた階層凸縁１６が形成され、別にベース１０の内側に把手リング１７が設けられて引き上げに便利とされている。
【０００９】
該膜片２０は弾性と耐候性を具えたゴム或いは軟性プラスチックが一体成形されてなり、略ディスク形ゴム薄片体とされ、該膜片２０にあってベース１０の受筒１３、１４に対応する位置に、係止部材２１、２２が設けられ、該係止部材２１、２２は配置上、膜片２０の中央と隔離フレーム１１辺縁に接近する位置に対向する位置に設けられ、これにより膜片２０の中央と外周区域に対していずれも十分な引っ張り力を具備するものとされる。
【００１０】
該ゴムリング３０は、弾性と耐候性を具えたゴム或いは軟性プラスチックが一体成形されてなり、ゴムリング３０の内側にベース１０上端の階層フランジ１５と嵌合する階層凹環溝３１が設けられ、これによりベース１０上端の階層フランジ１５と固定嵌合状態を形成する。
【００１１】
本考案を組み立てる時は、膜片２０中央の係止部材２１を、ベース１０の下方より上向きにベース１０中央の受筒１３内に挿入、嵌合させる。続いて、膜片２０の辺縁に接近する係止部材２２もベース１０の下方よりベース１０の隔離フレーム１１辺縁に近い受筒１４中に挿入、係合させる。その後、ゴムリング３０をベース１０上側の階層フランジ１５に嵌合させ、これにより手で簡単に本考案の排水口シール装置を組み立てることができる。
【００１２】
本考案を使用する時は、図５に示されるように、直接上述のように組立完成した排水口シール装置を排水口４の、もともと弁膜式ゴム盤が嵌め置かれていた肩部４１の上に嵌め置く。取り付け完成時には、排水口４の上に、もともと付設されていた排水口カバー４２が閉じられることでシンクの蓄水使用の操作を行なえる。
【００１３】
図６及び図７に示されるのは、本考案の排水口シール装置の膜片２０の組合せが容易に行なえるように、ベース１０中央に位置する受筒１３中に係止部材２１が設けられ、その上端につまみ２１２が設けられ、且つつまみ２１２の外表面に少なくとも一つの止滑条２１３が設けられ、手指でつまみ２１２を引き上げることで膜片２０とベース１０を係合させることができる。このほか、膜片２０の外周が緊密にベース１０の環体下端の階層凸縁１６に嵌合するように、膜片２０の外周は僅かに反りあがった形状に設けられ、その外周の弾性回復力が増加されている。また、膜片２０の各係止部材２１、２２が容易にベース１０の各受筒１３、１４中にあって、受筒１３、１４に係止されるように、受筒１３、１４に下が大きく上が小さいスピーカ形孔１３１、１４１を設置可能であり、これにより係止部材２１、２２上端の係止部２１１、２２１が順調に下から上に受筒１３、１４を通過するものとされる。
【００１４】
更に図３及び図４を参照されたい。本考案が取り付け完成し未だ排水しない状態では、図３に示されるように、膜片２０の外周縁は完全に緊密にベース１０下側の階層凸縁１６に当接し、完全な気密状態を形成し、ゆえに確実に虫或いは臭気の室内或いは台所への進入を防止できる。水が本考案のベース１０中に落ちる時、水量が膜片２０外周を下降させるのに十分となると、水の重量により膜片２０の係止部材２１、２２と受筒１３、１４の係合位置から離れた周縁が下垂現象を発生し（図４）、膜片２０両側とベース１０下側の階層凸縁１６間に大きな開口間隙が形成され、該ベース１０の隔離フレーム１１上の穿孔１２の水が、この間隙を通り排水管に排出される。膜片２０上方の水が完全に無くなり、且つそれ以上水が進入しない時、膜片２０はそれ自身の材料の弾性回復力と水の内集力、及びベース１０の階層凸縁１６に対する付着力により、膜片２０の周縁が階層凸縁１６に嵌合するもとの位置に回復し、再度閉じた気密状態を回復する。
【００１５】
本考案が排水を行なう時、極めて微小な膜片本体弾性力と、膜片とベース間の自身の弾力と水の内集力の結合を克服するだけで、完全なシール作用を達成でき、ゆえに本考案は非常に優れた製品設計である。
【図面の簡単な説明】
【００１６】
【図１】本考案の実施例の立体分解図である。
【図２】図１の実施例の立体組合せ図である。
【図３】図１の実施例の組合せ断面図である。
【図４】図３の実施例の排水動作状態表示図である。
【図５】本考案がシンクの排水口に取り付けられた状態の縦断面図である。
【図６】本考案の別の実施例の立体分解図である。
【図７】図６の実施例の立体組合せ図である。
【符号の説明】
【００１７】
１０  ベース
１１  隔離フレーム
１２  穿孔
１３、１４  受筒
１３１、１４１  スピーカ形孔
１５  階層フランジ
１６  階層凸縁
１５１、１６１  階層
２０  膜片
２１、２２  係止部材
２３  フランジ
２１１、２２１  係止部
２１２  つまみ
２１３  止滑条
３０  ゴムリング
３１  階層凹環溝
４  排水口
【図１】
0003112326.tif 000003
【図２】
0003112326.tif 000004
【図３】
0003112326.tif 000005
【図４】
0003112326.tif 000006
【図５】
0003112326.tif 000007
【図６】
0003112326.tif 000008
【図７】
0003112326.tif 000009